(57)【要約】【課題】ペットボトルを利用した倒立式補助タンクに於いて、タンクに補給してから倒立させてセットする迄、零さないで簡単にセット出来るペットボトル開閉キャップを提供する。【解決手段】ペットボトル７のネジに取付出来る様にした本体キャップ１の内部に摺動出来る様にした閉塞栓６を設ける事により、ペットボトルに補給時は閉栓状態となり、倒立させてセットした時に開栓となる様にした開閉キャップである。又、本体キャップ１に外部ソケット１０を取り付ける事により開栓時の排出高さレベルを変更出来る様にした開閉キャップである。【選択図】        図１
2004323105.tif 000002
【特許請求の範囲】
【請求項１】
ペットボトルの口部に取り付ける本体キャップに摺動出来る閉止栓を設け、本体キャップをペットボトル口部ネジにネジ込んで取り付けると閉止栓がペットボトル口部で止まり閉止栓と繋がったロッドが突出し閉栓状態となり、次にタンクを倒立させてセットする時に突出したロッドが下面に当あたって押し込まれ、ロッドに繋がった閉止栓がペットボトルの内部迄突き抜け開栓となる構造のペットボトル口部取付部品。
【請求項２】
請求項１に於いて、本体キャップ側面鉛直方向に放出口スリットを設け、その外側に本体キャップとシールしつつ放出口スリットの閉塞具合を調整出来る様にした外部ソケットを設ける事により、ペットボトルからの放出液面高さを調整出来る様にした構造のペットボトル口部取付部品。
【発明の詳細な説明】
【０００１】
【発明が属する技術分野】
本発明は、ペットボトルを利用した倒立式補助タンクの開閉部品に関する。
【０００２】
【従来の技術】
ペットボトルを倒立式の補助タンクとして利用する場合、口部が閉塞しないように浮かして保持する必要があり、別途指示具を設けてやる必要があった。
【０００３】
ペットボトルは主に飲料用に使用されており、使用が終わると捨てられ、殆どがペットボトルの姿での再利用がされていなかった。
【０００４】
ペットボトルを倒立式の補助タンクとして利用する場合、タンク口部を開放したまま倒立させる為、こぼしながらセットしていた。
【０００５】
ペットボトルを倒立式の補助タンクとしてセットした場合、排出する液面高さはペットボトル口部先端となる為、液面レベルを変える為にはペットボトルのセット高さを変える必要があった。
【０００６】
【発明が解決しようとする課題】
給水タンク等にペットボトルを倒立式補助タンクとして利用する場合、口の部分を塞がない様に浮かして保持しなければならないという問題点があった。
【０００７】
ペットボトルを倒立式補助タンクとして再利用しようとした場合、倒立させた時に零れてしまう為、利用しずらいという問題点があった。
【０００８】
ペットボトルを倒立式タンクとしてセットしてしまうと、排出高さを変更する為にはペットボトル毎セット位置高さを変えてやらなければならないという問題点があった。
【０００９】
【課題を解決するための手段】
この発明は、ペットボトルの口部のネジに接続出来る様にした本体キャップに摺動出来る閉塞栓を設ける事により、従来の問題点を解決したものである。
【００１０】
ペットボトルを満タンにした状態で閉塞栓を内蔵した本体キャップを取り付ける事によりペットボトルが閉栓状態になり、ペットボトルを倒立させても零れなく出来る。
【００１１】
次に、ペットボトルを倒立させてセット位置でペットボトル毎下に押しつける事により本体キャップ内の閉塞栓が開栓状態となり、外部に零す事無くペットボトルをセット出来る様になる。
【００１２】
通常では、ペットボトルの排出口高さレベルを変える為には、ペットボトル毎高さレベルを変えてセットしてやる必要があるが、本体キャップに排出スリット穴を設け、その外にスリット穴の開口高さを調整する外部ソケットを設けてやる事により、ペットボトルを動かさなくても排出口高さレベルが変更出来る様になる。
【００１３】
【発明の実施の形態】
この発明は、飲料用等の使用済みペットボトルのキャップを取り替える事により、倒立式補助タンクとして再利用出来る様にしたペットボトル接続用の開閉キャップについてである。
【００１４】
飲料用等で多く使われているペットボトルの口部サイズは特殊な物を除き共通している。このネジ部に合わせた本体キャップを設ける事により多種類のペットボトルに取付可能となる。
【００１５】
本体キャップの中には閉塞栓が内蔵されており、ロッドで繋がって摺動出来る様になっている。本体キャップをペットボトルにネジ込む事により、閉塞栓が口部に当たりペットボトルが閉栓となり、ロッドエンドが本体キャップより突出した状態となる。
【００１６】
ペットボトルタンクを満タンにした後、本体キャップをネジ込む事により、タンクを倒立させても零れなくなる。タンクセット位置に持ってくると、本体キャップ先端の突出したロッドエンドが先ず下面に当たり、軽くペットボトル毎下に押しつける事により、ロッドで繋がった閉塞栓がペットボトルの中迄突き抜け開栓状態となる。
【００１７】
ペットボトルタンクが開栓すると、タンク排出口よりエアー置換を繰り返しながらタンク内の水が放出される。やがて液面がタンク排出口迄達し、エアー置換が止まると、タンク内の放出が停止する。
【００１８】
閉塞栓は、ロッドにより保持されている為、タンク放出中に塞ぐ事は無い。タンクが空になると、本体キャップネジを緩め本体キャップ毎引き抜く事により本体キャップと繋がった閉塞栓を引き出せる。
【００１９】
ペットボトル補助タンクのセット状態は、本体キャップ先端部分でタンクの自重を受けている。本体キャップ先端部分の接地面を広くする事により、本体キャップだけでタンクを安定して自立させる事が出来る。
【００２０】
タンクをセットすると、タンクからの排出口高さレベルに液面が達する迄、タンクから排出する為、排出口高さレベルで液面が保持される。この液面レベルを変える為には通常ではタンク全体のセット高さを変えてやる必要がある。
【００２１】
本体キャップ側面に排出用のスリットを設け、その外側にスリットの塞ぎ具合を調整出来る外部ソケットを設ける事により排出口高さレベルを変える事が出来る。外部ソケットは、本体キャップとシール保持しながら上下に移動出来る様になっており、外部ソケットで塞いだ部分では漏れる事無く、正確に排出口の液面レベルを変える事が出来る。
【００２２】
【実施例１】
この発明の実施例である図１は、給水タンク９の中にペットボトル７を利用した倒立式補助タンクをセットした状態を示す。ペットボトル７の口部ネジに本体キャップ１を取り付ける事によりペットボトル７を自立保持出来る様になっている。
【００２３】
図２は、この実施例の詳細図を示す。飲料用等に使われているペットボトル７の口部ネジは、特殊な物を除き全て共通しており、本体キャップ１にはペットボトル７の口部にねじ込める様になっている。
【００２４】
本体キャップ１の中には、摺動ロッド２に固定された閉塞栓６が入っており、本体キャップ１の摺動軸受３を通して摺動出来る様になっている。摺動ロッド２の反対側末端には、ロッドエンド４がついており、本体キャップ１の摺動軸受３との間のスプリング５により、閉塞栓６を本体キャップ１の奧側に引き込んでいる。
【００２５】
ペットボトル７の口部に本体キャップ１をねじ込んでいくと、弾力性のあるパッキン材で出来た閉塞栓６がペットボトル７の口部内側を密着し閉栓となる。ペットボトル７に補給した後、本体キャップ１をねじ込む事により閉塞され、ペットボトル７を逆さに向けても零れなくなる。
【００２６】
図３は、ペットボトル７を倒立式補助タンクとしてセットする状態を示す。ペットボトル７に本体キャップ１をねじ込んだ状態では、ペットボトル７が閉栓状態となっており、この時、本体キャップ１の接地面よりロッドエンド４が突出した状態となっている。
【００２７】
この補助タンクをセットする場所に置くと、最初にロッドエンド４が接地し、更にタンク毎下に押し込むと摺動ロッド２に繋がった閉塞栓６がペットボトル７の口部を貫通し、内部迄突き抜け開栓となる。図３の片側の図は開栓状態を示し、本体キャップ１の排出穴８を通しエアー置換と排出を交互に繰り返しながらタンク内から放出される。
【００２８】
【実施例２】
図４の実施例は、本体キャップ１に外部ソケット１０を追加し、排出部液面高さを変更出来る様にした状態を示す。本体キャップ１にスリット状の排出穴８を設け、その外側の外部ソケット１０により排出穴８の塞ぎ具合を調整する事により排出部の高さが変更出来る。
【００２９】
外部ソケット１０の溝にシールパッキン１１が入っており、本体キャップ１との間をシールしている。本体キャップ１には調整ネジ１２が切ってあり、外部ソケット１０と噛み合っており、外部ソケットを回す事により本体キャップ１の排出穴８の塞ぎ具合が調整出来る。
【００３０】
ペットボトル７からの排出は、外部ソケット１０の下端より外部の液面が下がった場合、排出穴８からのエアー置換が起こり、ペットボトル７から排出される。図４は、外部ソケット１０の調整範囲の上下限の状態を示しており、排出液面レベル１３の位置も外部ソケット１０の位置に応じて変化させる事が出来る。
【００３１】
【実施例３】
図５の実施例は、本発明の倒立式補助タンクを鉢植え装置１４にセットした状態を示す。鉢植え装置１４は、鉢の底部より給水タンク９の液面レベルに応じて鉢内に給水する様になっており、倒立式補助タンクをセットする事により給水タンク９の液面レベルが一定になり鉢内の含水状態が一定に保持出来る。
【００３２】
鉢内の含水が低下すると、給水タンク９から補給され、給水タンク９の液面低下が生じる。液面が低下すると、最終的に倒立式補助タンクにより補給が行われる。即ちペットボトル７を利用した倒立式補助タンクへ定期的に補給するだけで鉢への給水が可能になる。
【００３３】
【発明の効果】
この発明により、使用済みのペットボトルのキャップを取り替えるだけで、別途加工を加える事無くそのままの形で補助タンクとして再利用出来る様になった。又、使用済みのペットボトルは日常何処にでも余っている為、補助タンクが痛んだり、汚れたりした場合簡単に新しいタンクに取り替えが出来る。
【００３４】
この発明の開閉キャップを使用済みペットボトルに取り付ける事により、簡単に倒立式補助タンクとして利用出来、補給してからセットする迄、外部に零す事無く出来る様になった。
【００３５】
倒立式補助タンクとしてセットする場合、本体キャップ１の接地面を倒れ難い様に大きくする事により、外部から保持しなくても、本体キャップ１だけで補助タンクを自立させる事が出来る。
【００３６】
給水タンク９にこの倒立式補助タンクをセットする事により、補助タンクが空になる迄、給水タンク液面を一定に保つ事が出来る。特に給水設備から離れた所に給水する場合、ホース等により給水口を持ってくる必要があるが、この倒立式補助タンクを使う事により、補給した補助タンクを持って来てセットするだけで済む様になった。
【００３７】
底面から給水出来る様にした鉢植え装置１４に給水タンク９とこの倒立式補助タンクを設ける事により、鉢への給水が補助タンクの補給だけで出来る。毎日鉢へ給水する手間が省け、補助タンクが空になった時だけタンクに補給するだけで済む様になった。
【００３８】
図４の様に、本体キャップ１に外部ソケット１０を取り付ける事により、給水タンク９の液面高さレベルを変更する事が出来る。鉢植え装置１４に取り付けた場合、外部ソケット１０の調整だけで、給水タンク９の液面高さを変える事が出来、鉢への給水条件の調整が簡単に出来る様になった。
【図面の簡単な説明】
【図１】給水タンクにペットボトル補助タンクを接続した図である。
【図２】ペットボトルに開閉キャップを接続する図である。
【図３】開閉キャップの開閉動作の図である。
【図４】開閉キャップの排出液面調整の図である。
【図５】ペットボトル補助タンクを鉢植え装置に接続した図である。
【符号の説明】
１    本体キャップ
２    摺動ロッド
３    摺動軸受
４    ロッドエンド
５    スプリング
６    閉塞栓
７    ペットボトル
８    排出穴
９    給水タンク
１０    外部ソケット
１１    シールパッキン
１２    調整ネジ
１３    排出液面レベル
１４    鉢植え装置
【図１】
2004323105.tif 000003
【図２】
2004323105.tif 000004
【図３】
2004323105.tif 000005
【図４】
2004323105.tif 000006
【図５】
2004323105.tif 000007